(57)【要約】【課題】プラズマディスプレイパネルにおいて、クロストークの発生を防止することを目的とする。【解決手段】放電空間を挟んで対向配置された第１基板と第２基板とを有し、前記第１基板に複数の表示電極とこの表示電極を覆う誘電体層とを形成し、前記第２基板に前記表示電極と交差する複数のデータ電極とこのデータ電極を覆う誘電体層と前記放電空間を仕切って放電セルを形成するリブとを配設したプラズマディスプレイパネルにおいて、第１基板１１上の誘電体層１４に、放電セルに対応させて誘電率の異なる領域を形成する誘電体２１を設けることによって、表示電極側に形成される壁電荷の蓄積をセル毎に区切ることができ、隣接セル間での電荷の干渉を抑え、安定な放電を実現する。【選択図】図１
2005071953.tif 000002
【特許請求の範囲】
【請求項１】
放電空間を挟んで対向配置された第１基板と第２基板とを有し、前記第１基板に複数の表示電極とこの表示電極を覆う誘電体層とを形成し、前記第２基板に前記表示電極と交差する複数のデータ電極とこのデータ電極を覆う誘電体層と前記放電空間を仕切って放電セルを形成するリブとを配設したプラズマディスプレイパネルにおいて、前記第１基板上の誘電体層に、前記放電セルに対応させて誘電率の異なる領域を形成したことを特徴とするプラズマディスプレイパネル。
【請求項２】
誘電率の異なる領域は、第２基板上のリブ上面に対向する位置に設けたことを特徴とする請求項１記載のプラズマディスプレイパネル。
【請求項３】
誘電率の異なる領域は、他の部分より誘電率が低い領域であることを特徴とする請求項１記載のプラズマディスプレイパネル。
【請求項４】
誘電率の異なる領域は、行方向と列方向に設け、その領域の幅を行方向と列方向とで異ならせたことを特徴とする請求項１記載のプラズマディスプレイパネル。
【請求項５】
誘電率の異なる領域は、透明であることを特徴とする請求項１記載のプラズマディスプレイパネル。
【請求項６】
誘電率の異なる領域は、黒色であることを特徴とする請求項１記載のプラズマディスプレイパネル。
【請求項７】
誘電率の異なる領域は、比誘電率が１０以下であることを特徴とする請求項１記載のプラズマディスプレイパネル。
【発明の詳細な説明】
【技術分野】
【０００１】
本発明はコンピュータおよびテレビ等の画像表示に用いるプラズマディスプレイパネルに関するものである。
【背景技術】
【０００２】
このプラズマディスプレイパネルでは、ガス放電により紫外線を発生させ、この紫外線で蛍光体を励起して発光させカラー表示を行っている。そして、基板上にリブによって区画された表示セルが設けられており、これに蛍光体層が形成されている構成を有する。
【０００３】
このプラズマディスプレイパネルには、大別して、駆動的にはＡＣ型とＤＣ型があり、ＡＣ型の中でも放電形式では面放電型と対向放電型の２種類があるが、高精細化、大画面化および製造の簡便性から、現状では、プラズマディスプレイパネルの主流は、３電極構造の面放電型のもので、その構造は、一方の基板上に平行に隣接した表示電極対を有し、もう一方の基板上に表示電極と交差する方向に配列されたデータ電極と、リブ、蛍光体層を有するもので、比較的蛍光体層を厚くすることができ、蛍光体によるカラー表示に適している。
【０００４】
図５は従来の技術によるＡＣ面放電型のプラズマディスプレイパネルを示しており、図５に示すように、ガラス基板などの透明な前面側の第１基板１上には、第１の電極としての走査電極と第２の電極としての維持電極とで対をなすストライプ状の表示電極２が複数列形成され、そしてその電極群を覆うように誘電体層３が形成され、その誘電体層３上には保護膜４が形成されている。
【０００５】
また、前記前面側の第１基板１に対向配置される第２基板５上には、走査電極および維持電極の表示電極２と交差するように、誘電体層６で覆われた複数列のストライプ状の第３の電極としてのデータ電極７が形成されている。このデータ電極７間の誘電体層６上には、データ電極７と平行に複数のリブ８が配置され、このリブ８間の側面および誘電体層６の表面に蛍光体層９が設けられている。
【０００６】
これらの基板１と基板５とは、走査電極および維持電極の表示電極２とデータ電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、リブ８によって複数の区画に仕切ることにより、表示電極２とデータ電極７との交点が位置する複数の放電セルが設けられ、その各放電セルには、赤色、緑色および青色となるように蛍光体層９が一色ずつ順次配置されている。このように放電空間とは、第２基板上のリブによって仕切られており、また第１基板の走査電極と維持電極とに挟まれた空間のことである。
【０００７】
次に、このパネルの駆動方法について、走査電極、維持電極、データ電極の各電極に印加される電圧波形の一例を示す図６を用いて説明する。
【０００８】
図６において、まず走査電極に初期化パルスＶｓｅｔを印加し、パネルの放電セル内の壁電荷を初期化するとともに、走査電極と維持電極の間の放電空間にかけられた電圧が放電開始電圧に近い状態になるよう、壁電荷の形成を行う。次に選択するセル以外の走査電極にバイアス電圧Ｖｓｃａｎをかけておき、選択するセルにはバイアス電圧Ｖｓｃａｎを取り除くと同時にデータ電極に書き込みパルスＶｄａｔａを印加し、書き込み放電を起こす。この書き込み放電によって、誘電体層、保護膜および蛍光体層表面に壁電荷が蓄積される。同様の書き込み動作をパネル全面に亘って順次行い、表示するセルを選択する。
【０００９】
次に、維持放電を行うために、データ電極を接地し、走査電極と維持電極に交互に維持パルスＶｓｕｓを印加することによって、壁電荷が蓄積されたセルでは保護層表面の電位が放電開始電圧を上回ることによって放電が発生し、維持パルスが印加されている期間（維持期間）書き込みパルスによって選択された表示セルの主放電が維持される。
【００１０】
その後、消去パルスＶｅｒａｓｅを印加することによって壁電荷を消去および初期化し、その後、後続の書き込み期間、維持期間、消去期間の３つからなるサブフィールドが繰り返される。
【００１１】
ここで初期化回数が１回だけの場合では、初期化に発生する微弱放電によってのコントラストへの悪影響は少ないが、壁電荷の初期化が１回だけであるため、後続のサブフィールドでクロストークが発生した場合、その後の書き込み動作等を正常に行うことができない場合がある。この場合、正常な階調を表現できないので映像が劣化する。また、初期化回数を増やせば、クロストークによる映像の不具合はなくなるが、初期化によって映像に関係のない微弱放電の回数が増えるため、コントラストが悪化する。
【００１２】
従来のプラズマディスプレイパネルとして、特許文献１に示すように、放電セル内に強誘電体を配置したものがある。この特許文献１に記載されたプラズマディスプレイパネルの誘電体層の構造は、放電セル内の走査電極、維持電極、データ電極の少なくともどちらか一方に強誘電体を設けることによって、強誘電体の分極反転時の放出電子が、放電が開始される際に、トリガーとなる初期電子の供給源となるため、初期電子欠乏に起因した放電遅れが防止され、高精細化に伴う高速駆動時の放電遅れによる点灯不良を改善できるものである。
【００１３】
しかしながらこのような誘電体構造では、放電セル以外の個所においても壁電荷が形成され、行方向のセルどうしが壁電荷でつながっている状態になっている。そのため、放電セル以外に形成された壁電荷の電界の影響によりクロストークが発生してしまう。
【特許文献１】特開２０００−２００５５３号公報
【発明の開示】
【発明が解決しようとする課題】
【００１４】
本発明はこのような課題に鑑みなされたもので、クロストークの発生を防止することを目的としている。
【課題を解決するための手段】
【００１５】
このような課題を解決するために本発明は、放電空間を挟んで対向配置された第１基板と第２基板とを有し、前記第１基板に複数の表示電極とこの表示電極を覆う誘電体層とを形成し、前記第２基板に前記表示電極と交差する複数のデータ電極とこのデータ電極を覆う誘電体層と前記放電空間を仕切って放電セルを形成するリブとを配設したプラズマディスプレイパネルにおいて、前記第１基板上の誘電体層に、前記放電セルに対応させて誘電率の異なる領域を形成したことを特徴とする。
【００１６】
また、この誘電率の異なる領域は、比誘電率が１０以下で他の部分より誘電率が低い領域とし、第２基板上のリブ上面に対向する位置に設けている。さらに、誘電率の異なる領域は、行方向と列方向に設け、その領域の幅を行方向と列方向とで異ならせてもよく、また誘電率の異なる領域は、透明な材料や黒色の材料で構成してもよい。
【発明の効果】
【００１７】
以上のように本発明によれば、クロストークを防止することができ、セルピッチを狭くした場合においても高精細表示を実現できる。
【発明を実施するための最良の形態】
【００１８】
以下、本発明の一実施の形態によるプラズマディスプレイパネルについて、図１〜図４を用いて説明する。
【００１９】
図１は本発明の一実施の形態によるＡＣ面放電型のプラズマディスプレイパネルを示しており、図２は第１基板の誘電体構成を示している。
【００２０】
これらの図１、図２に示すように、ガラス基板などの透明な前面側の第１基板１１上には、第１の電極としての走査電極１２と第２の電極としての維持電極１３とで対をなすストライプ状の表示電極が複数対行方向に配列して形成されている。この走査電極１２および維持電極１３は、それぞれ透明電極１２ａ、１３ａおよびこの透明電極１２ａ、１３ａに電気的に接続された銀等の金属母線１２ｂ、１３ｂとから構成されている。
【００２１】
前記前面側の第１基板１１には、前記複数対の電極群を覆うように誘電体層１４が形成されている。その誘電体層１４上には、酸化マグネシウム（ＭｇＯ）等の耐スパッタ性が高く、二次電子放射係数の大きい材料からなる保護膜１５が形成されている。また、前記第１基板上の誘電体層１４は、比誘電率が１０以下の誘電率の低い領域を形成する誘電体２１によって、表示電極に交差するように放電空間に沿って区画されている。
【００２２】
また、前記前面側の第１基板１１に対向配置される第２基板１６上には、走査電極１２および維持電極１３の表示電極と直交する列方向に、誘電体層１７で覆われた複数のストライプ状の第３の電極としてのデータ電極１８が配列して形成されている。このデータ電極１８間の誘電体層１７上には、データ電極１８と平行にストライプ状の複数のリブ１９が配置され、このリブ１９間の側面および誘電体層１７の表面に蛍光体層２０が設けられている。
【００２３】
これらの第１基板１１と第２基板１６とは、走査電極１２および維持電極１３とデータ電極１８とがほぼ直交で交差するように、微小な放電空間を挟んで対向配置されるとともに、前記第１基板１１の誘電体層１４を区画する低誘電率の誘電体２１が第２基板１６上のリブ１９の上面に対向するように配置されている。また、周囲は封止され、そして前記放電空間には、ヘリウム、ネオン、アルゴン、キセノンのうちの一種または混合ガスが放電ガスとして封入されている。また、放電空間は、リブ１９によって複数の区画に仕切ることにより、表示電極とデータ電極１８との複数の交差部それぞれに放電セルが設けられ、その各放電セルには、赤色、緑色および青色となるように蛍光体層２０が一色ずつ順次配置され、図２の点線で示すように３つの放電セルによりＲＧＢからなる画素Ｘ−１を形成している。
【００２４】
このパネルは、表示面側である第１基板１１側から画像表示を見るようになっており、放電空間内の放電により発生する紫外線によって、蛍光体層２０を励起し、発生する可視光を表示発光に利用するものである。
【００２５】
図３は本発明の他の実施の形態におけるプラズマディスプレイパネルの誘電体構成を示す図である。本実施の形態では、第１基板を区画する低誘電率の誘電体２１を行方向と列方向に区画して設けており、横方向と縦方向の放電空間以外の壁電荷の形成を制限し、各放電セル毎に壁電荷を形成できる構造となっている。また、行方向、列方向の少なくともどちらか一つに区画された構造、行方向の誘電体２１の誘電率に対して列方向の誘電体の誘電率が高い構造、またはその逆の構造など、これらを組み合わせて実施してもよい。さらに、誘電率の異なる誘電体２１は、その領域の幅を行方向と列方向とで異ならせてもよい。
【００２６】
以上のように構成されたプラズマディスプレイパネルでは、誘電体層１４に前記放電セルに対応させて誘電率の異なる領域を形成した構成であり、表示電極側に形成される壁電荷が各放電セル毎に形成され、放電空間以外では壁電荷は形成されない、または非常に少なくすることができる。そのため、従来のパネル構造のように、放電空間以外に形成される壁電荷による電界の影響がないため、放電セルから隣接セルへ放電漏れによる電荷粒子の移動を防止することができる。
【００２７】
図４に示すように、プラズマディスプレイパネルにおいては、放電セルから隣接セルへ電荷粒子２２がリブと第１基板のわずかな隙間から漏れ出し、隣接セルの壁電荷を打ち消すクロストークの現象が発生する。壁電荷が減少したセルでは不灯などの不具合が起き易いため、データ電極に書き込みパルスＶｄａｔａを大きくするか、初期化回数を多くする必要がある。また高精細化には、狭セルピッチにする必要があり、隣接セル間の間隔が狭くなるためクロストークも大きくなる。
【００２８】
本発明においては、放電空間以外に形成される壁電荷による電界の影響がないため、放電セルから隣接セルへ放電漏れによる電荷粒子の移動を防止することができ、隣接セル間のクロストークを防ぐことができ、さらにパネルの高精細化を図るためにセルピッチを狭くした場合でも、クロストークを防ぐことができる。また、放電空間以外で余分な壁電荷が形成されないので充放電時の消費電力が低減できる。
【００２９】
さらに、本発明において、誘電体層１４を区画する低誘電率の誘電体２１の幅と放電セルに対する位置を調節することによって、壁電荷が形成されない領域を任意に調整することができる。
【００３０】
また、本発明のプラズマディスプレイパネルにおいて、低誘電率の誘電体２１は黒色を有する物質を含む材料で構成し、黒色系の色とすることにより、放電セル間に配置される遮光体、いわゆるブラックストライプを兼ねることができ、書き込み時または維持放電時のクロストークを防止した上で、明所コントラストを向上することができる。一方、低誘電率の誘電体２１を透明な物質で構成すれば、放電空間側に形成した場合でも遮光されることがない。
【００３１】
以上説明したように本発明において、第１基板上の誘電体に放電セルに対応させて誘電率の低い領域を設けることにより、表示電極側に形成される壁電荷の蓄積をセル毎に区切ることができ、また放電空間以外には壁電荷が形成されない、または非常に少なくすることができるため、放電セルから隣接セルへ放電漏れによる電荷粒子の移動を防止することができ、これによって隣接セル間のクロストークを防ぐことができ、また充放電時の消費電力が低減でき、さらにパネルの高精細化を図るためにセルピッチを狭くした場合でも、クロストークを防ぐことができる。
【産業上の利用可能性】
【００３２】
本発明によれば、プラズマディスプレイパネルにおけるクロストークを防止することができ、高精細表示のためにセルピッチを狭くする構成において有用な発明である。
【図面の簡単な説明】
【００３３】
【図１】本発明の一実施の形態によるプラズマディスプレイパネルの構成を示す斜視図
【図２】同パネルの第１基板の誘電体構造を示す平面図
【図３】本発明の他の実施の形態によるプラズマディスプレイパネルの誘電体構造を示す平面図
【図４】クロストークを説明するための説明図
【図５】一般的なプラズマディスプレイパネルの構成を示す斜視図
【図６】一般的なプラズマディスプレイパネルの駆動電圧波形を示す信号波形図
【符号の説明】
【００３４】
１１  第１基板
１２  走査電極
１３  維持電極
１４  誘電体層
１５  保護膜
１６  第２基板
１７  誘電体層
１８  データ電極
１９  リブ
２０  蛍光体層
２１  誘電体
【図１】
2005071953.tif 000003
【図２】
2005071953.tif 000004
【図３】
2005071953.tif 000005
【図４】
2005071953.tif 000006
【図５】
2005071953.tif 000007
【図６】
2005071953.tif 000008